(57)【要約】      （修正有）【課題】頚椎の歪みやズレを矯正することにより、肩こりや頭痛、顔の歪み、不眠症、背骨の歪み、斜頸等の様々な症状を改善することができる頚椎矯正用の横寝枕を提供する。【解決手段】前面部から後面部に向けて傾斜した形状の上面部１３を有し、その全体が大略箱状に形成された形状の枕体１０に、上面部１３のほぼ中央から前面部１１に至る溝状に形成した耳入れ穴２０を設けるか、または上面部１３のほぼ中央を前後方向に縦断する割り溝状に形成した耳入れ穴を設けた構成とする。【選択図】図１
0003182193.tif 000002
【実用新案登録請求の範囲】
【請求項１】
頚椎の歪みなどに起因する諸症状を改善すべく、大略箱状に形成した枕体の上面部に耳入れ穴を設けて成る横寝枕であって、前記した枕体の前面部を後方に向けて傾斜した形状に設けるとともに、該枕体の上面部を前面部から後面部に向けて傾斜した形状に設け、また前記した耳入れ穴を、該枕体の上面部のほぼ中央から前面部に至る溝状に形成したことを特徴とする頚椎矯正用の横寝枕。
【請求項２】
頚椎の歪みなどに起因する諸症状を改善すべく、大略箱状に形成した枕体の上面部に耳入れ穴を設けて成る横寝枕であって、前記した枕体の前面部を後方に向けて傾斜した形状に設けるとともに、該枕体の上面部を前面部から後面部に向けて傾斜した形状に設け、また前記した耳入れ穴を、該枕体の上面部のほぼ中央を前後方向に縦断する割り溝状に形成し、さらにその耳入れ穴の内部に、その上面が前記枕体の上面部と同一平面状となるように設けた納置片を着脱自在に収容したことを特徴とする頚椎矯正用の横寝枕。
【請求項３】
上記した枕体の底面部に、高さ調整用のプレート体を着脱自在に取付けたことを特徴とする請求項１または請求項２に記載の頚椎矯正用の横寝枕。
【考案の詳細な説明】
【技術分野】
【０００１】  本考案は、横向きに寝た状態で使用する枕（本考案では、このような用途の枕を横寝枕と称する）に係るものであり、さらに詳しくは、頚椎あるいは頚椎から頭蓋骨に至る部位（以下、単に頚椎として説明する）の歪みやズレを矯正するための横寝枕に関するものである。
【背景技術】
【０００２】  従来から提供されている横寝枕としては、枕本体の中央部に耳を入れる穴を設け、その穴から外側に向けて音を聞こえ易くする通路を設けた構造の横向寝用枕がある（特許文献１参照）。また柱状体の中央部にくびれ部を有し、くびれ部の両側に大径部を構成するとともに、くびれ部に把持用のバンドを設けた形状の横寝用枕も提案されている（特許文献２参照）。【０００３】  上記した特許文献１の横向寝用枕は、病臥中の人などが寝ながらテレビを見る場合などに、片方の耳が塞がってしまって音が聞き難いという不具合があるので、その不具合の解消を目的として考案されたものである。また特許文献２の横寝用枕は、いびきの軽減や睡眠時無呼吸症候群の抑止を目的として発明されたものである。【０００４】  上記特許文献１の横向寝用枕はほぼＵ字型の浮き輪状に形成されており、また特許文献２の横寝用枕は中央部がくびれた円柱状に形成されているもので、頚椎の矯正を行うことを想定した構造とはなっていなかった。【０００５】  そこで本考案者は、頚椎の矯正機能を備えた横寝枕を先に提案した（特許文献３参照）が、本考案は、前記特許文献３の考案をさらに改良して成るものである。
【先行技術文献】
【特許文献】
【０００６】
【特許文献１】  実用新案登録第３１２５１９０号公報
【特許文献２】  特開２００５−３０４７６４号公報
【特許文献３】  実用新案登録第３１６２９１２号公報
【考案の概要】
【考案が解決しようとする課題】
【０００７】  本考案は頚椎の歪みやズレを矯正することにより、肩こりや頭痛、顔の歪み、不眠症、背骨の歪み等の様々な症状を改善するとともに、斜頸の改善にも非常に有効な頚椎矯正用の横寝枕を提供しようとするものである。
【課題を解決するための手段】
【０００８】  上記の課題を解決するため、本考案は以下のような技術的手段を講ずるものである。
すなわち請求項１に記載の本考案は、頚椎の歪みなどに起因する諸症状を改善すべく、大略箱状に形成した枕体の上面部に耳入れ穴を設けて成る横寝枕であって、前記した枕体の前面部を後方に向けて傾斜した形状に設けるとともに、該枕体の上面部を前面部から後面部に向けて傾斜した形状に設け、また前記した耳入れ穴を、該枕体の上面部のほぼ中央から前面部に至る溝状に形成した構成とする頚椎矯正用の横寝枕である。【０００９】  また請求項２に記載の本考案は、頚椎の歪みなどに起因する諸症状を改善すべく、大略箱状に形成した枕体の上面部に耳入れ穴を設けて成る横寝枕であって、前記した枕体の前面部を後方に向けて傾斜した形状に設けるとともに、該枕体の上面部を前面部から後面部に向けて傾斜した形状に設け、また前記した耳入れ穴を、該枕体の上面部のほぼ中央を前後方向に縦断する割り溝状に形成し、さらにその耳入れ穴の内部に、その上面が前記枕体の上面部と同一平面状となるように設けた納置片を着脱自在に収容した構成とする頚椎矯正用の横寝枕である。【００１０】  さらに請求項３に記載の本考案は、請求項１または請求項２に記載の頚椎矯正用の横寝枕において、上記した枕体の底面部に、高さ調整用のプレート体を着脱自在に取付けた構成とするものである。【００１１】  上記のように構成された本考案の横寝枕は、以下のように使用するものである。
例えば、頚椎の歪みやズレが原因で矯正対象者の左右の耳の高さが異なる場合は、位置の高い方の耳を耳入れ穴内に挿入し、且つその耳周辺部の側頭骨や頬骨を枕体の上面に密着させた姿勢で横向きに寝るようにする。このような姿勢で横向き寝を行うと頚椎の歪みやズレを矯正することができるので、本考案に成る横寝枕を使用することによって頚椎を正常な状態に戻し、以下に述べるような様々な効果を発揮するものである。
【考案の効果】
【００１２】  本考案に成る頚椎矯正用の横寝枕を使用すれば、歪んだりズレたりしている頚椎をまっすぐに矯正することができる。したがって頚椎から頭蓋骨に至る間に付着した筋肉の前後左右のバランスが回復され、且つ血液やリンパ液の流れを良好にすることができるので、結果的に首や肩のこり、頭痛、不眠症の改善、顔の歪みやむくみおよび顎の下のむくみやたるみの改善、背骨の歪み、斜頸その他の様々な症状の改善に寄与することができるという極めて顕著な効果を奏するものである。【００１３】  また本考案は、枕体に形成された耳入れ穴に片方の耳を挿入し、２分〜５分程度横寝をするのみの簡単な方法で、安全に頚椎の矯正をすることができるとともに、一般的な横寝枕のように、就寝中に限定して長時間の継続使用をする必要がないので、場所や時間を自由に選択して使用することができるという大きな長所も有している。さらに本考案品は、構造が簡単で安価に大量生産することも可能であるので、廉価な製品を市場に提供することができるという利点がある。【００１４】  さらに本考案は、枕体に形成された耳入れ穴に片方の耳を挿入して横寝状態になり、本考案者が先に提案した略鉛筆状の人体各部の押圧具（実用新案登録第３１５２１５１号）を用いて頚椎一番の部分を押すようにすると、上述のような様々な効果をさらに顕著に発揮するものである。
【図面の簡単な説明】
【００１５】
【図１】本考案に成る頚椎矯正用の横寝枕の第１実施例を示す斜視図である。
【図２】図１の横寝枕の断面図である。
【図３】本考案に成る頚椎矯正用の横寝枕の第２実施例を示す斜視図である。
【図４】本考案に成る頚椎矯正用の横寝枕の第３実施例を示す側面図である。
【図５】本考案の使用例を示す一部切欠説明図である。
【考案を実施するための形態】
【００１６】  以下に、この考案の実施形態を図面に基づいて説明するが、本考案において提供される実施例１〜実施例３の枕体１０は、いずれも大略箱状に形成されており、その各枕体１０の上面部１３に、頚椎の歪みやズレを矯正するための耳入れ穴２０（または２０Ａ）を形成して成るものである。なおこの場合の枕体１０は、図示のような角柱状であっても図示しない円柱状であっても使用可能であるが、耳の外周部（側頭骨や頬骨）の密着性において、使用者の体型の相違による対応範囲が大きいので、角柱状の枕体の方がより好適である。
【００１７】  また本実施形態では、以下の各実施例で述べるような形状の枕体１０を用いるものであるが、該枕体１０は、図２に示すように、硬質ウレタンその他の適宜な素材を用いて製造された芯部材１７の外周を、肌触りの良い被覆部材１６によって覆った形状に設けられたものである。なお以下の各実施例で使用する枕体１０は、本考案者が先に提案した実用新案登録第３１６２９１２号公報のものに比較して、前面部１１が後面部１４よりも大きな高さ寸法を有している点に顕著な相違を有している。
【実施例１】
【００１８】  第１実施例の枕体１０は、図１に示すように、後方に向けて傾斜するように立設された前面部１１と、ほぼ垂直状の立設された後面部１４と、ほぼ垂直状に相対向して立設された左右の側面部１２，１２と、水平状に設けられた底面部１５と、前面部１１から後面部１４に向けて適宜な角度を存した傾斜状に形成された上面部１３を有する大略箱状に形成されたものである。【００１９】  上記した枕体１０には、上面部１３のほぼ中央から前面部１１の上側部位に渡ってＬ字状に開放された耳入れ穴２０が形成されている。該耳入れ穴２０は、図２に示すように、耳入れ穴の底面２１が、上面部１３の延長線とほぼ平行する略方形の溝状に形成されたもので、人Ｈの耳Ｅを挿入可能な大きさに設けられている。
【実施例２】
【００２０】  図３は本考案の第２実施例を示すものであるが、本実施例で使用される枕体１０の形状は、耳入れ穴２０Ａの部分を除いて前記第１実施例の場合と全く同様である。
すなわち本実施例の耳入れ穴２０Ａは、枕体１０の上面部１１の中央を前後方向に縦断する割り溝状に形成されたもので、上面部１３における縦方向の中央部と、前面部１１および後面部１４の上側部分とが略コ字状に開放された形状となっている。【００２１】  上記した耳入れ穴２０Ａには、使用者の体型（特に横寝状態における肩の高さ）に合わせて耳入れ穴２０Ａの大きさを調整すべく、図示の如くに、耳入れ穴内を前後方向に移動可能な納置片２２が着脱自在に収容されている。該納置片２２は、耳入れ穴２０Ａの長手方向の半分程度の長さを有する長方形のブロック状に形成され、且つ収容時には、その上面が枕体１０の上面部１３と同一平面状となるように設けられている。【００２２】  したがって本実施例の横寝枕は、納置片２２を後方へ移動させれば耳入れ穴２２Ａの前後長さが大きくなり、また納置片２２を前方へ移動させれば耳入れ穴２２Ａの前後長さが小さくなるように構成されているが、この場合に、上面部１３および耳入れ穴２０Ａが図示のような傾斜状となっているので、納置片２２の前後方向への移動は、実質的には上下方向への移動に置き換えることができる。そこで、例えば横寝状態における肩の位置が通常よりも低くなるような体型の人が本考案を使用する場合は、納置片２２を後方に移動させて適宜な高さ位置を選択し、その選択した位置の耳入れ穴２０Ａ内に、該当する耳を挿入するようにする。
【実施例３】
【００２３】  図４は、本考案の第３実施例を示すものである。
本実施例は、前記第１実施例および第２実施例で使用した枕体１０の底面部１５に、面ファスナー等の適宜な係着部材２３を介してプレート体２４を取付けて成るものである。このプレート体２４は、枕体１０の底面形状とほぼ同一の基板状に形成されており、使用者の体型（特に横寝状態における肩の高さ）に応じて、使用時の枕の高さを調節することを目的として設けられたものである。したがって、例えば整骨院等で患者の頚椎矯正用として本考案品を使用する場合に、厚さの異なる複数種類のプレート体２４を用意しておけば、患者の体型に対応した状態で治療を行うことができる。【００２４】  次に、図５を参照しながら本考案の使用方法を詳細に説明する。なおここで使用する枕体１０は図１で示したものを使用するものとし、また後述するように、対象となる耳を耳入れ穴２０に挿入した場合に、該当する耳の周辺にある側頭骨や頬骨が枕体１０の上面部１３に密着した状態となるように頭を乗せて使用するものとする。【００２５】  まず図５（イ）に示すように、頚椎の矯正を必要とする人Ｈを座位させて、首の傾きや左右の耳の高さの相違、左右の耳の前後差等を、対象者の前方と後方の両方から目視にて観察し、頚椎の歪みやズレの有無、歪みやズレの状態等を判定する。次に、先の判定で右耳が高く左耳が低いことが判明し、且つ両耳の前後差がないことが判明した場合に、図５（ロ）に示すように、左耳を上にして右耳Ｅを耳入れ穴２０内に挿入すると同時に、右肩を下にして横向きに寝る。この場合に、両肩が前後しないように揃えるようにするとともに、猫背にならないように膝を曲げる。【００２６】  上記のような状態で顔面を動かさずに約２分〜５分程度横寝を続けると、頚椎の歪みやズレを解消して元の正常な状態に戻そうとする力が頚椎に加わるので、頚椎の矯正を安全確実に行うことができるのである。【００２７】  なおこのような頚椎矯正の実施に際しては、例えば矯正対象者が小柄な高齢女性の場合と大柄なスポーツ選手の場合では、横寝状態における肩の高さが必然的に異なるので、その肩の高さの相違に対応する必要があり、その対策として、実施例２の枕体や実施例３の枕体を使用するようにするとよい。【００２８】  また上述のように耳入れ穴２０または耳入れ穴２０Ａに耳を挿入した状態において、本考案者が先に提案した略鉛筆状の人体各部の押圧具（実用新案登録第３１５２１５１号）を用いて頚椎一番の部分を垂直状に押すようにすると、頚椎一番が簡単且つ安全に動いてさらに有効な矯正を行うことができる。【００２９】  上記のような方法で頚椎（あるいは頭蓋骨と頚椎）の矯正を行うと、血液やリンパ液の流れが良くなるので、顔全体や顎の下のむくみやたるみが改善され、また肌の栄養状態が良くなることで、吹き出物や肌荒れの改善が見られる。【００３０】  また頚椎と頭蓋骨の歪みやズレが矯正されることにより、筋肉の左右の張りや神経の圧迫がなくなり、ゆるみ緊張が取れて首や肩のこりが改善されるとともに、頭痛や不眠症の改善にも寄与する。さらには頚椎から頭蓋骨に付着した筋肉の前後左右のバランスがよくなり、顔の歪み、左右の肩の高さの違い、左右の目の大きさの違い、鼻や口の歪み等も改善することができるとともに、斜頸���改善にも著しい効果を発揮することができる。
【符号の説明】
【００３１】      １０  枕体
１１  前面部
１２  側面部
１３  上面脚
１４  後面部
１５  底面部
２０，２０Ａ  耳入れ穴
２１  穴の底部
２２  納置片
２３  係着部材
２４  プレート体
【図１】
0003182193.tif 000003
【図２】
0003182193.tif 000004
【図３】
0003182193.tif 000005
【図４】
0003182193.tif 000006
【図５】
0003182193.tif 000007